(57)【特許請求の範囲】
【請求項１】
所定長さの筒状体乃至は任意の断面形状の形鋼等を本体１とする骨組ユニットＡの多数個と、各骨組ユニットＡを連結ピンＤ１により相互に屈折可能に縦列状に連結させる多数個の関節部材Ｂと、隣接する１組の前記骨組ユニットＡ，Ａの相互を、任意の屈折角度に固定させる多数個の屈折角固定部材Ｃとの組合わせから成り、
前記屈折角固定部材Ｃによる屈折角度固定機能を補強する為の固定強化手段Ｅとして、
前記骨組ユニットＡ及び関節部材Ｂに交叉状に設けた第１長孔２１及び第２長孔２２に、補強ピンＤ３を摺動可能に挿通させたことを特徴とする曲率可変の湾曲骨組体。
【請求項２】
前記本体１には、その両端近くに前記連結ピンＤ１を挿通させるピン孔２を夫々設けると共に、各ピン孔２から所定距離隔てた外側に、前記屈折角固定部材Ｃの両端部を夫々ピン連結させる為の組付ピンＤ２を挿通させるピン孔３を設けたことを特徴とする請求項１記載の曲率可変の湾曲骨組体。
【請求項３】
前記関節部材Ｂは、前記本体１に内嵌又は外嵌させ得るチャンネル状金具５から成り、その両側面の両端近くに前記連結ピンＤ１を挿通させるピン孔６を夫々設けると共に、その頂面の中央部にボルト孔７を設けたことを特徴とするる請求項１又は２記載の曲率可変の湾曲骨組体。
【請求項４】
前記屈折角固定部材Ｃは、前記関節部材Ｂに内嵌させ得るチャンネル状金具１０から成り、その両側面の両端近くに前記組付ピンＤ２を挿通させるピン孔１１を設け、頂面中央部には、前記関節部材Ｂのボルト孔７に挿通した押・引ボルト１３を螺合させるナット部材１２を取着したことを特徴とする請求項１乃至３のいずれかに記載の曲率可変の湾曲骨組体。
【請求項５】
前記第１長孔２１は、前記屈折角固定部材Ｃによる屈折角度の変更操作を、前記補強ピンＤ３が妨げない方向に配設し、前記第２長孔２２は、前記屈折角度の変更操作を、前記補強ピンＤ３が妨げず、且つ、前記屈折角度固定状態に於いて、曲げモーメントを及ぼされた前記骨組ユニットＡが、前記連結ピンＤ１の周りに回動されようとする動きを、前記補強ピンＤ３が阻止する方向に配設したことを特徴とする請求項１乃至４のいずれかに記載の曲率可変の湾曲骨組体。
【発明の詳細な説明】
【０００１】
【発明の属する技術分野】
本発明は、例えば、コンクリート製構造物の曲面部分を打設する型枠を、コンクリートの注入圧に耐えさせるべく行う支保工用資材として用いたり、ドーム状構造物等を構築する為の、湾曲骨格材等としても簡便に利用出来る、曲率可変の湾曲骨組体に関する。
【０００２】
【従来の技術】
図１７は、コンクリート構造物の曲面部分を打設する型枠を構築する工法の第１の従来例を示している。
型枠を構築するには、先ず、表裏１組の型枠板３０，３０を使って、周知の型枠支保工法により、構造物の平坦部分Ｂの型枠を組立てる。
次に、この型枠に、曲面部分Ａを打設する曲面型枠２１を、図示の様に組付ける。２２は型枠２１の組付用角材、３３は曲面を形成させる為の骨組材である。
そして、型枠２１が、注入コンクリートの重圧により変形するのを防ぐ為に、型枠２１の外周面に角筒状の形鋼３４を所定間隔を隔てて垂直に配設する。
形鋼３４群の背面には、型枠２１の曲面に倣った曲面３５ａを備えた押え治具３５を、上下方向に所定間隔を隔てた複数箇所に当てがう。
押え治具３５は、型枠板３０を足が掛かりにして突設した締結ボルト３６の先端に組付けたフォームタイ（楔打式締め具）３７に、楔３８を打ち込むことにより、形鋼３４を介して曲面型枠２１に圧接させる。
【０００３】
図１８は、上記工法の第２の従来例を示している。
この場合は、押え治具３５に代えて、曲面型枠２１の曲面に倣って曲げ加工した金属パイプ３９を用いている。
この金属パイプ３９は、第１の従来技術と同様に、締結ボルト３６、フォームタイ３７を使って、形鋼３４を介して、曲面型枠２１の背面に圧接させている。
【０００４】
【発明が解決しようとする課題】
上記第１の従来工法によると、曲面型枠２１の曲面に正確に倣った曲面を備えた押え治具３５を多数個作るのに、多くの材料費と労力とを要する。
然も、押え治具３５は、曲率が異なる打設曲面３５ａを持つ他の曲面型枠２１に対しては、勿論共用出来ないし、反復使用が可能な場合でも、嵩張るので保管が厄介だった。
【０００５】
又、押え治具３５に代えて金属パイプ３９を使う第２の従来工法によると、工事現場で、１本１本のパイプを所要の曲率に曲げ加工するのに、かなりの労力と時間を要する。そして、一旦曲げたパイプの曲率を変えるのは簡単ではない。
その上、湾曲パイプは嵩張るので、運搬・保管コストが嵩み、勿論、打設面の曲率が異なる型枠には流用出来ず、無用の倉庫代の負担が増える等して、コンクリート打設工費の低減が困難だった。
【０００６】
この様な従来技術の難点を改善する為に、本願出願人は、例えば、コンクリート構造物の曲面部分を打設する際に、打設面の曲率が相異する型枠に対しても共用出来ると共に、反復使用の為に保管・運搬する手間も大幅に軽減出来る上に、各種の構造物の湾曲骨組材としても便利に使える、曲率可変の湾曲骨組体を創案し、「特願平７−３３９２７１」、「特願平８−３４７１８」、及び「特願平８−１２０５９７」として特許出願している。
上記先願発明の湾曲骨組体は、所定長さの骨組ユニットの複数個を、関節部材を使って縦列状にピン連結し、関節部材には、隣接する骨組ユニット相互を任意の屈折角度に固定する為の、屈折角固定部材を組込んだ構成を備えている。
【０００７】
然しながら、この湾曲骨組体にも、尚、改善すべき余地が残されている。
とい言うのは、骨組ユニットの連結個数が増すに連れて、各連結箇所の組付精度の影響が目立って顕れる様になり、動的荷重を受けて湾曲率が変動する不具合も生じ勝ちになる。
又、湾曲骨組体に加わる曲げモーメントが大きくなるに連れて、撓み変形量も無視し難いレベルに迄増えて来る。
【０００８】
かと言って、湾曲骨組体の各構成部材の肉厚や太さを増したり、連結構造の複雑化や加工精度の大幅向上を図れば、この湾曲骨組体の優れた特徴である、取扱いの軽便さ、湾曲率変更作業の簡易・迅速さ、安価さ等の折角の長所が損なわれてしまうことになる。
【０００９】
そこで、本発明の目的は、上記先願発明の基本構造を備えたものに於いて、連結構造及び曲率を変更する作業の複雑化や重量増を招かず、又、製作コストの上昇も極力押えながら、耐曲げモーメント性能を顕著に増大させた曲率可変の湾曲骨組体を提供するにある。
【００１０】
【課題を解決するための手段】
上記の目的を達成する為の、本発明による曲率可変の湾曲骨組体は、
所定長さの筒状体乃至は任意の断面形状の形鋼等を本体１とする骨組ユニットＡの多数個と、各骨組ユニットＡを連結ピンＤ１により相互に屈折可能に縦列状に連結させる多数個の関節部材Ｂと、隣接する１組の前記骨組ユニットＡ，Ａの相互を、任意の屈折角度に固定させる多数個の屈折角固定部材Ｃとの組合わせから成り、
前記屈折角固定部材Ｃによる屈折角度固定機能を補強する為の固定強化手段Ｅとして、
前記骨組ユニットＡ及び関節部材Ｂに交叉状に設けた第１長孔２１及び第２長孔２２に、補強ピンＤ３を摺動可能に挿通させる構成とした。
そして、前記本体１には、その両端近くに前記連結ピンＤ１を挿通させるピン孔２を夫々設けると共に、各ピン孔２から所定距離隔てた外側に、前記屈折角固定部材Ｃの両端部を夫々ピン連結させる為の組付ピンＤ２を挿通させるピン孔３を設けるとよい。
前記関節部材Ｂは、前記本体１に内嵌又は外嵌させ得るチャンネル状金具５から成り、その両側面の両端近くに前記連結ピンＤ１を挿通させるピン孔６を夫々設けると共に、その頂面の中央部にボルト孔７を設けた構成にするとよい。
前記屈折角固定部材Ｃは、前記関節部材Ｂに内嵌させ得るチャンネル状金具１０から成り、その両側面の両端近くに前記組付ピンＤ２を挿通させるピン孔１１を設け、頂面中央部には、前記関節部材Ｂのボルト孔７に挿通した押・引ボルト１３を螺合させるナット部材１２を取着した構成にするとよい。
又、前記第１長孔２１は、前記屈折角固定部材Ｃによる屈折角度の変更操作を、前記補強ピンＤ３が妨げない方向に配設し、前記第２長孔２２は、前記屈折角度の変更操作を、前記補強ピンＤ３が妨げず、且つ、前記屈折角度固定状態に於いて、曲げモーメントを及ぼされた前記骨組ユニットＡが、前記連結ピンＤ１の周りに回動されようとする動きを、前記補強ピンＤ３が阻止する方向に配設するとよい。
【００１１】
【発明の実施の形態】
以下に、本発明の湾曲骨組体を、打設面が湾曲したコンクリート型枠の支保工に用いる実施例に就いて、図１乃至図１４を参照しながら説明する。
この実施例の湾曲骨組体は、図１〜４に示した様に、所定長さの角管状をした骨組ユニットＡの多数個と、此等の骨組ユニットＡを、連結ピンＤ１により相互に屈折可能に縦列状に連結させる関節部材Ｂの多数個と、隣接する骨組ユニットＡ，Ａを、任意の屈折角度に屈折させると共に、この屈折角度を固定させる、屈折角固定部材Ｃの多数個とを組合わせた基本構成を備えている。
【００１２】
骨組ユニットＡを構成する角管状の本体１の寸法は、この実施例のものは、太さが５０ｍｍ角、長さは３００ｍｍである。
この実施例の本体１は、図２に示した形状に裁断した金属板を、図４に示した横断面形状に曲げ加工して作られている。底面の１ｄは補強用リブで、必要に応じて、この部分はスポット溶接する。
【００１３】
図１，３に示した様に、本体１の頂面（図中で）１ａの両端部は、約４０ｍｍの長さに亙って夫々切欠くと共に、両側面１ｂ，１ｂの隅角部を緩やかな傾線と曲線とを連ねた形状にカットして切欠箇所ａを設けている。
これによって、隣接する本体１，１同士を互いに屈折させることが可能になり、又、屈折角固定部材Ｃの回動操作が容易になる。
【００１４】
本体１の両側面１ｂ，１ｂの各両端近くには、連結ピンＤ１を挿通させるピン孔２と、屈折角固定部材Ｃの組付用の組付ピンＤ２を挿通させるピン孔３とを、所定距離を隔てて、組付ピンＤ２を外側に位置させて、且つ、底面１ｃ側に片寄らせて貫通状に設けている。
又、両側面１ｂ，１ｂの両端部には、屈折角表示手段となる矢印Ｆ１を設けている。
【００１５】
更に、両側面１ｂ，１ｂの各両端近くには、連結ピンＤ１及び組付ピンＤ２から夫々所定距離を隔てた上方箇所に、補強ピンＤ３を摺動可能に挿嵌させる所定長さの斜め縦向きの第１長孔２１を夫々設けている。
この第１長孔２１の配向方向は、その下端側がピン孔２から遠退く方向に所定角度だけ傾く様に設定している。
【００１６】
連結ピンＤ１、組付ピンＤ２及び補強ピンＤ３の形状は夫々同じで、図３に示した様に、先端部の外周面に設けた環状溝に、止輪４を着脱自在に嵌着させている。
【００１７】
関節部材Ｂは、図４〜図６に示した形状の、横断面コ字形のチャンネル状金具５から成る。
このチャンネル状金具５の横幅は、骨組ユニットＡを構成する本体１の内側に摺動可能に挿嵌させ得る寸法に設定している。
チャンネル状金具５の両側面５ａ，５ａは略台形に形成されており、その両端近くには、連結ピンＤ１を挿通させるピン孔６を夫々貫通状に設けている。又、底辺部には、骨組ユニットＡを連結ピンＤ１の周りに回動させた時に、組付ピンＤ２と干渉するのを避ける為の、切欠部５ｂを設けている。
【００１８】
両側面５ａ，５ａの中央部には、前記矢印Ｆ１と対向する位置に、角度目盛Ｆ２を上下方向に刻んでいる。此等の矢印Ｆ１及び角度目盛Ｆ２は、隣接する骨組ユニットＡ，Ａ相互の屈折角度を知らせる役割を果すものである。
又、頂面５ｃの中央部には、後述する押・引ボルト１３を挿通させるボルト孔７を設け、その左右両側には、補強用凹凸条を形成させている。
【００１９】
更に、両側面５ａ，５ａの、左右両肩部分には、補強ピンＤ３を摺動可能に挿嵌させる所定長さの第２長孔２２を、骨組ユニットＡの本体１に設けた第１長孔２１と交叉する位置を選んで設けている。
この交叉角は、隣接する骨組ユニットＡ，Ａ相互の屈折角度が零の状態で、約４５度前後になる様に設定している。
【００２０】
そして、交叉状に重ね合わされた第１長孔２１及び第２長孔２２と、此等両孔に摺動可能に挿嵌させた補強ピンＤ３とによって、屈折角固定部材Ｃによる角度固定機能を補強する為の、固定強化手段Ｅが構成されている。
【００２１】
屈折角固定部材Ｃは、図７〜図１１に示した構成を備えている。
この実施例の屈折角固定部材Ｃは、下向きのチャンネル状金具１０を本体としている。その両側面１０ａ，１０ａの両端近くには、組付ピンＤ２を挿通させる、幾分横長のピン孔１１を貫通状に設けている。
又、頂面１０ｂには、その中央に設けたボルト孔ｂと同軸状に、ナット部材としてのナット１２を固着している。
【００２２】
チャンネル状金具１０は、図１１に示した形状に打ち抜いた金属板を曲げ加工して作られている。
ナット１２は、図４に示した様に、チャンネル状金具５のボルト孔７に挿通させた押・引ボルト１３を螺合させる為のものである。
【００２３】
次に、湾曲骨組体の作用を、図１８に示した従来の型枠支保工に適用した場合に例を採って説明する。
湾曲骨組体は、図１８に描かれた、曲面型枠２１の締結用の、湾曲金属パイプ３９に代わる役割を果すものである。
【００２４】
所望の長さと曲率の湾曲骨組体を組立てるには、用意された多数個の骨組ユニットＡのうち、先ず、その１個目を、図１８に示した様に、締結ボルト３６やホームタイ３７等を使って、曲面型枠２１の一端側の背後に圧接状態で固定させる。  次に、この骨組ユニットＡの右（又は左）端側に、２個目の骨組ユニットＡを、関節部材Ｂと２本の連結ピンＤ１とを使って連結させる。
【００２５】
その際に、屈折角固定部材Ｃも、２本の組付ピンＤ２を使って、図３，４に示した様に、２つの骨組ユニットＡ，Ａ間に跨がらせて組付ける。
更に、補強ピンＤ３を、骨組ユニットＡ及び関節部材Ｂの、交叉状に重ね合わされた第１長孔２１及び第２長孔２２に挿通させたうえ、止輪４で抜止する。
【００２６】
この組付の際に、関節部材Ｂピン孔７に挿通させた押・引ボルト１３を、ナット１２に螺合させれば、２つの骨組ユニットＡ，Ａを、図１２に示した様に、一直線状に連結させることが出来る。
【００２７】
この状態から、図１３に示した様に、押・引ボルト１３をナット１２に螺じ込む方向に回転させて行くと、両骨組ユニットＡ，Ａは、両連結ピンＤ１の周りに、図の下側向きに夫々回動して、２個の骨組ユニットＡ，Ａはハ字形に屈折される。  これによって、２個目の骨組ユニットＡも、形鋼３４を介して曲面型枠２１の背後に当接させることが出来る。
【００２８】
尚、曲面型枠２１が凹入状に湾曲している場合には、図１４に示した様に、押・引ボルト１３をナット１２から螺脱させる方向に回転させれば、隣接する骨組ユニットＡ，Ａを逆ハ字形に折曲させて、凹入した型枠面に沿わせることが出来る。
【００２９】
この回動操作の際に、第１長孔２１及び第２長孔２２に挿通された補強ピンＤ３は、此等の長孔が特定方向に配向されていることにより、第２長孔２２の孔縁部に押されて、骨組ユニットＡの回動を妨げない方向に、両長孔内を摺動させられる（図１２及び図１３参照）。
その為、補強ピンＤ３が、上記の回動操作を妨げることは無い。
【００３０】
然し、連結された骨組ユニットＡ群（湾曲骨組体）に、何等かの事情でその湾曲方向に大きな曲げモーメントが及ぼされた場合には、補強ピンＤ３は、連結ピンＤ１及び組付ピンＤ２と協働して、この曲げモーメントをしっかり受け止める役割を果してくれる。
【００３１】
即ち、図１２〜１４から理解される様に、第２長孔２２の配向方向は、骨組ユニットＡが、連結ピンＤ１の周りに左又は右回りに回動され様とする方向ｆ，ｇに対して、略直交方向に設定されている。
その為、屈折角固定部材Ｃによって、隣接する骨組ユニットＡ，Ａの屈折角度を固定させた状態では、若し、骨組ユニットＡに大きな曲げモーメントが及ぼされても、図１２〜１４に示した様に、第２長孔２２の長手方向の両孔縁部に夫々引っ掛かった状態にある補強ピンＤ３が、この回動を確実に阻止してくれる。
【００３２】
要するところ、補強ピンＤ３は、連結ピンＤ１及び組付ピンＤ２と協働して、骨組ユニットＡと関節部材Ｂとの相互の連結箇所を、２点支持よりは遥かに大きな耐撓み変形強度が得られる３点支持状態とする役割を果してくれる。
又、３点支持による上記の連結構造は、各ピン連結箇所の組付精度の不足を、互いに補い合う効果も生じさせてくれる。
【００３３】
次に、２個目の骨組ユニットＡの右隣に３個目の骨組ユニットＡ（図示略）を連結し、２個目の骨組ユニットＡとの間に介在させた屈折角固定部材Ｃの押・引ボルト１３を上記と同様に回動させれば、この３個目の骨組ユニットＡも、曲面型枠２１の背後に当接される。
【００３４】
以後は、上記と同様な作業を反復行えば、湾曲骨組体を構成する全ての骨組ユニットＡを、曲面型枠２１の湾曲した背面の全面に一様に当接させることが出来る。  この一連の連結作業の過程で、締結ボルト３６、ホームタイ３７を、適宜の間隔を隔てて順次取付ける作業も並行して行う。
その際に、ホームタイ３７に楔３８を打ち込むことによって、上記の当接状態がしっかり固定（締結）される。
この様にして、湾曲骨組体を用いた支保工は、未熟練作業者でも、手際良く迅速に進めることが出来る。
【００３５】
用済みの湾曲骨組体は、湾曲状に連結させたままで型枠から取り外せば、同じ形の型枠の支保作業にそのまま使える。
用済み後に、しばらく保管して置く場合には、各骨組ユニットＡの連結箇所の押・引ボルト１３を夫々回動操作して、湾曲骨組体の全体を真っ直ぐにすれば、嵩張らない状態で積み重ねることが出来る。
【００３６】
図１５は、本発明の湾曲骨組体を、ドーム状構造物の骨組材として利用した第２の用途例を示している。
５１は、多数個の骨組ユニットＡを、所定の直径のリング状に連結して作られたベースフレームである。５２は、複数個の骨組ユニットＡを所定長さの略１/４円弧状に連結して作られたルーフフレームである。
【００３７】
所望の曲率に湾曲させたベースフレーム５１及びルーフフレーム５２は、第１実施例の場合と同様な手順によって、簡単・迅速に組立てることが出来る。
骨組ユニットＡを構成する本体１の長さや太さは、ドームの大きさに適合した最適の寸法に決めればよい。
【００３８】
ベースフレーム５１上の等間隔を隔てた所定位置に、ルーフフレーム５２の下端を連結させるには、連結金具５３を用い、各ルーフフレーム５２の上端部同士を一体に連結させるには天頂金具５４を用いる。
【００３９】
図１６は、本発明の湾曲骨組体を、ローラーコンベアのフレーム材に用いた、第３の用途例を示している。
工場や、商品の配送基地等に設置するコンベアラインは、その設置場所の状況に応じて、曲線状乃至はＳ字状に曲がりくねらせて設置したい場合も少なくない。その場合に、ローラー群を支持するフレームを、屈曲状態で設置するのは甚だ面倒である。
【００４０】
そこで、本発明の湾曲骨組体をローラーコンベアのフレーム材として活用すれば、フレームの製作と設置に要する時間及び経費を、大幅に減らすことが出来る。
然も、コンベアラインの曲率を、ライン設置後も必要に応じて自由に変えることも可能になる。
【００４１】
即ち、図１６に示した平面図の様に、コンベアライン６０を構成する、各コンベアユニット６１は、左右のフレーム材として、骨組ユニットＡの本体１を流用している。６２はローラである。
この実施例の本体１は、ローラ６２の組付等の便宜上、角筒体に代えて、チャンネル状材を用い、その長さは、コンベアラインの曲率に応じて適宜に設定する。
【００４２】
このコンベアーユニット６１の複数台を使って、任意の曲率と長さのコンベアーライン６０を組立てるには、各コンベアーユニット６１の左右両側のフレームとなる各本体１，１のうち、一方側の本体１同士は、第１実施例の場合と同様にして連結すれば、各押・引ボルト１３によって、コンベアライン６０の曲率を、その全長のうちの各部分毎に任意に設定することが出来る。
【００４３】
然し、図１６から理解される様に、他方側の本体１同士は、その相互の間隔が幾分開いてしまう。
そこで、この他方側は、関節部材Ｂ及び屈折角固定部材Ｃは使わずに、それに替えて、連結部材６３を介して連結させている。
【００４４】
尚、上記構成に於いて、細部の構造は適宜に設計変更しても本発明の目的は達成される。
例えば、骨組ユニットＡ、関節部材Ｂ、屈折角固定部材Ｃ等の形態は、各請求項に示された機能を果す限りに於いて、個々の使用状況に応じて任意に設計変更すればよい。
【００４５】
【発明の効果】
以上の説明によって明らかな様に、本発明による曲率可変の湾曲骨組体は、以下に列挙した如き実用上の様々の優れた効果を奏する。
（ａ）  屈折角固定部材に螺合させた押・引ボルトを、正逆各れかの方向に適宜に回転させるだけで、湾曲骨組体の個々の使用状況に応じて、その湾曲率を簡単・迅速に変えることが出来る。
（ｂ）  単純なピン連結によって骨組ユニット相互を連結させているので、連結強度に優れ、苛酷な反復使用にも十分耐えられて経済性に優れる。
（ｃ）  然も、連結ピン、組付ピン及び補強ピンの３本のピンの協働による３点支持状態で連結しているので、大きな曲げモーメントにも十分に耐えられ、撓み変形し難い。
（ｄ）  曲面型枠の支保工等に用いる場合に、湾曲方向は、外向き、内向きの各れでも対応出来る。
（ｅ）  骨組ユニットの継足し個数を変えるだけで、湾曲骨組体の全長を自在に伸縮出来る。
（ｆ）  熟練技術を要する溶接箇所が無いので、品質のバラツキを殆ど無くすことが出来る。
（ｇ）  工夫次第で、実施例に示した用途以外にも、湾曲部分を備えた構造物の骨組材等として様々に活用出来る。この活用分野は、建築・土木の分野に限られない。
【図面の簡単な説明】
【図１】本発明の第１実施例を示すもので、２つの骨組ユニットを連結して、湾曲骨組体の一部を組立てた状態の正面図である。
【図２】同上、骨組ユニットＡを構成する本体の展開図である。
【図３】同上、骨組ユニット相互の連結構造を示す、部分分解斜視図である。
【図４】同上、図１のＸ−Ｘ線に沿う縦断面図である。
【図５】同上、チャンネル状金具５の正面図である。
【図６】同上、図５の平面視図である。
【図７】同上、チャンネル状金具１０の正面図である。
【図８】同上、図７の平面視図である。
【図９】同上、図７の側面視図である。
【図１０】同上、押・引ボルトの側面図である。
【図１１】同上、チャンネル状金具１０の展開図である。
【図１２】同上、骨組ユニット相互の連結構造を示す部分破断正面図である。
【図１３】同上、屈折角固定部材Ｃ及び固定強化手段Ｅの作用の、第１の説明図である。
【図１４】同上、屈折角固定部材Ｃ及び固定強化手段Ｅの作用の、第２の説明図である。
【図１５】本発明の湾曲骨組体を、ドーム状構造物の骨組材として流用した第２の用途例を示すもので、ドーム骨組の見取図である。
【図１６】本発明の湾曲骨組体を、ローラーコンベアのフレーム材に流用した第３の用途例を示すもので、コンベアラインの部分平面図である。
【図１７】第１の従来例を説明した、部分横断面図である。
【図１８】第２の従来例を説明した、部分横断面図である。
【符号の説明】
Ａ  骨組ユニット
Ｂ  関節部材
Ｃ  屈折角固定部材
Ｄ１  連結ピン
Ｄ２  組付ピン
Ｄ３  補強ピン
Ｅ  固定強化手段
Ｆ１  矢印
Ｆ２  角度目盛
１  本体
１ａ  頂面
１ｂ  側面
１ｃ  底面
１ｄ  補強用リブ
２，３  ピン孔
４  抜止ピン
５  チャンネル状金具
５ａ  側面
５ｂ  切欠部
５ｃ  頂面
６  ピン孔
７  ボルト孔
１０  チャンネル状金具
１０ａ  側面
１１  ピン孔
１２  ナット（ナット部材）
１３  押・引ボルト
２１  第１長孔
２２  第２長孔
５１  ベースフレーム
５２  ルーフフレーム
５３  連結金具
５４  天頂金具
６０  コンベアライン
６１  コンベアユニット
６２  ローラ
６３  連結部材
ａ  切欠箇所
ｂ  ボルト孔
【図１】
0003848406.tif 000002
【図２】
0003848406.tif 000003
【図３】
0003848406.tif 000004
【図４】
0003848406.tif 000005
【図５】
0003848406.tif 000006
【図６】
0003848406.tif 000007
【図７】
0003848406.tif 000008
【図８】
0003848406.tif 000009
【図９】
0003848406.tif 000010
【図１０】
0003848406.tif 000011
【図１１】
0003848406.tif 000012
【図１２】
0003848406.tif 000013
【図１３】
0003848406.tif 000014
【図１４】
0003848406.tif 000015
【図１５】
0003848406.tif 000016
【図１６】
0003848406.tif 000017
【図１７】
0003848406.tif 000018
【図１８】
0003848406.tif 000019